【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
通信ネットワークの第二の通信デバイスが省電力モードにあることを第一の通信デバイスにおいて決定することと、
前記第二の通信デバイスが前記省電力モードにある間、前記第二の通信デバイスのための電力セーブプロキシとして前記第一の通信デバイスを指定することを前記第一の通信デバイスにおいて決定することと、
前記第二の通信デバイスが前記省電力モードにある間、前記通信ネットワークのレガシー通信デバイスから前記第二の通信デバイスに送信されるパケットを前記第一の通信デバイスにおいて検出することと、
前記レガシー通信デバイスから受信され、前記第二の通信デバイスに宛てられた、前記パケットに少なくとも部分的に基づいて、パケット統計値を前記第一の通信デバイスにおいて決定することと、
前記第二の通信デバイスに、前記省電力モードを終了して前記パケットを受信するかどうかを決定することを可能にさせるために、前記第一の通信デバイスから前記第二の通信デバイスに、前記パケット統計値を含む制御メッセージを送信することと
を備える方法。
【請求項２】
前記通信ネットワークの前記第二の通信デバイスが前記省電力モードにあることを前記決定することは、前記第二の通信デバイスが前記省電力モードに関連するスリープサブ状態に入るときを、第一の通信デバイスにおいて、決定することを有し、そして、
前記第二の通信デバイスが前記省電力モードにある間、前記通信ネットワークの前記レガシー通信デバイスから前記第二の通信デバイスに送信される前記パケットを前記検出することは、第二の通信デバイスが前記省電力モードの前記スリープサブ状態にある間、前記レガシー通信デバイスから前記第二の通信デバイスに送信される前記パケットを前記第一の通信デバイスにおいて検出することを備える、請求項1に記載の方法。
【請求項３】
前記通信ネットワークの前記第二の通信デバイスが前記省電力モードにあることを前記決定することは、前記第二の通信デバイスが前記省電力モードに切り替わるであろう瞬間時間と、前記第二の通信デバイスが前記省電力モードに切り替わるであろう時間間隔とを示す、前記第二の通信デバイスからの通知を、前記第一の通信デバイスにおいて受信することを備える、請求項１に記載の方法。
【請求項４】
前記第二の通信デバイスが前記省電力モードにある間、前記通信ネットワークの前記レガシー通信デバイスから前記第二の通信デバイスに送信される前記パケットを前記検出することは、
前記第一の通信デバイスにおいて、前記通信ネットワークの前記レガシー通信デバイスからの複数の送信を監視することと、
前記レガシー通信デバイスからの第一の前記複数の送信が前記省電力モードにある前記第二の通信デバイス向けのものであることを前記第一の通信デバイスにおいて決定することと
を備える、請求項１に記載の方法。
【請求項５】
前記レガシー通信デバイスから送信される前記パケットを前記第一の通信デバイスにおいて記憶することと、
前記第二の通信デバイスが前記省電力モードを終了するとき、前記第一の通信デバイスから前記第二の通信デバイスに前記パケットを転送することと
をさらに備える、請求項１に記載の方法。
【請求項６】
前記第二の通信デバイスが前記省電力モードを終了するとき、前記第一の通信デバイスから前記第二の通信デバイスに前記パケットを前記転送することは、
前記第二の通信デバイスが前記省電力モードのスリープサブ状態を終了するときを前記第一の通信デバイスにおいて決定することと、
前記第二の通信デバイスが前記省電力モードの前記スリープサブ状態を終了するとき、前記第一の通信デバイスから前記第二の通信デバイスに前記パケットを転送することと
を備える請求項５に記載の方法。
【請求項７】
前記パケット統計値を前記決定することは、
前記省電力モードにある前記第二の通信デバイスのために前記レガシー通信デバイスから受信した前記パケットのタイプに少なくとも部分的に基づいて、前記パケット統計値を前記第一の通信デバイスにおいて決定すること
を備える、請求項１に記載の方法。
【請求項８】
前記パケット統計値を含む前記制御メッセージを前記送信することは、
前記第二の通信デバイスに前記省電力モードを終了することを要求するために前記第二の通信デバイスに前記制御メッセージを送信するか否かを、前記パケットに関連付けられたタイプと、前記パケットに関連付けられた優先順位と、前記レガシー通信デバイスのタイプと、のうちの少なくとも１つに基づいて、前記第一の通信デバイスにおいて決定すること
をさらに備える、請求項１に記載の方法。
【請求項９】
前記第二の通信デバイスがスリープサブ状態にある間、前記通信ネットワークの前記レガシー通信デバイスから前記第二の通信デバイスに送信される前記パケットを前記検出することに応じて、前記方法は、
前記第二の通信デバイスが前記パケットを受信したことを示し、前記レガシー通信デバイスが前記第二の通信デバイスに前記パケットを再送することを停止させるために、前記第一の通信デバイスから前記レガシー通信デバイスに確認応答メッセージを送信すること
をさらに備える、請求項１に記載の方法。
【請求項１０】
前記通信ネットワークの前記第二の通信デバイスが前記省電力モードにあることを前記決定することに応じて、前記方法は、
前記第二の通信デバイスが前記省電力モードにある間、前記第二の通信デバイスへの電力セーブプロキシブリッジとして前記第一の通信デバイスを指定することを決定することと、ここにおいて、前記第二の通信デバイスは、前記通信ネットワークのネットワークブリッジである、
前記第一の通信デバイスから複数の通信デバイスに、前記第一の通信デバイスが前記第二の通信デバイスへの前記電力セーブプロキシブリッジであることを示し、前記複数の通信デバイスに前記第二の通信デバイス向けの後続パケットを前記第一の通信デバイスへと送信させるために、第二の制御メッセージを送信することと
をさらに備える、請求項1に記載の方法。
【請求項１１】
前記第一の通信デバイスにおいて、前記通信ネットワークの前記第二の通信デバイスが前記省電力モードを終了したと決定することと、
前記レガシー通信デバイスに前記第二の通信デバイス向けの後続パケットを前記第二の通信デバイスへと送信させるために、前記第一の通信デバイスがもはや前記第二の通信デバイスへの前記電力セーブプロキシブリッジでないことを示すために、前記第一の通信デバイスから少なくとも前記レガシー通信デバイスに第三の制御メッセージを送信することと
をさらに備える、請求項１０に記載の方法。
【請求項１２】
前記第二の通信デバイスは、第三の通信デバイスへのネットワークブリッジであり、
前記通信ネットワークの前記第二の通信デバイスが前記省電力モードにあることを前記決定することに応じて、前記方法は、
前記第二の通信デバイスが前記省電力モードにある間、前記第二の通信デバイスと前記第三の通信デバイスへの前記電力セーブプロキシブリッジとして前記第一の通信デバイスを指定することを決定することと、
前記レガシー通信デバイスに前記第二の通信デバイスと前記第三の通信デバイス向けの後続パケットを前記第一の通信デバイスへと送信させるために、前記第一の通信デバイスが前記第二の通信デバイスと前記第三の通信デバイスへの前記電力セーブプロキシブリッジであることを示すために、前記第一の通信デバイスから少なくとも前記レガシー通信デバイスに第二の制御メッセージの送信することと
をさらに備える、請求項１に記載の方法。
【請求項１３】
前記第一の通信デバイス、前記第二の通信デバイス、及び前記レガシー通信デバイスが電力線通信ネットワーク、イーサネット（登録商標）、および無線ローカルエリアネットワークの少なくとも１つを介して通信するように構成されている請求項１に記載の方法。
【請求項１４】
通信ネットワークの第二の通信デバイスが省電力モードにあることを、第一の通信デバイスにおいて、決定することと、
前記第二の通信デバイスが前記省電力モードに関連付けられたスリープサブ状態に入るときを、前記第一の通信デバイスにおいて、決定することと、
前記第二の通信デバイスが前記省電力モードの前記スリープサブ状態にある間、前記第二の通信デバイスのための電力セーブプロキシとして前記第一の通信デバイスを指定することを、前記第一の通信デバイスにおいて、決定することと、
前記第二の通信デバイスが前記省電力モードの前記スリープサブ状態にある間、前記通信ネットワークのレガシー通信デバイスから前記第二の通信デバイスに送信されるパケットを、前記第一の通信デバイスにおいて、検出すること、
前記第二の通信デバイスが前記省電力モードの前記スリープサブ状態にある間、前記レガシー通信デバイスから前記第二の通信デバイスに送信される前記パケットを前記検出することに応じて、前記第二の通信デバイスが前記省電力モードの前記スリープサブ状態にある間、前記第二の通信デバイスへのパケットの送信を停止することを前記レガシー通信デバイスに要求するために、前記第一の通信デバイスから前記レガシー通信デバイスにホールド制御メッセージを送信することと
を備える方法。
【請求項１５】
前記通信ネットワークの前記第二の通信デバイスが前記省電力モードにあることを前記決定することは、前記第一の通信デバイスにおいて、前記第二の通信デバイスが前記省電力モードの前記スリープサブ状態に切り替わるであろう瞬間時間と、前記第二の通信デバイスが前記省電力モードの前記スリープサブ状態に切り替わるであろう時間間隔とを示す、前記第二の通信デバイスからの通知を受信することを備える、請求項１４に記載の方法。
【請求項１６】
前記第二の通信デバイスが前記省電力モードの前記スリープサブ状態にある間、前記通信ネットワークの前記レガシー通信デバイスから前記第二の通信デバイスに送信される前記パケットを前記検出することは、
前記第一の通信デバイスにおいて前記通信ネットワークの前記レガシー通信デバイスからの複数の送信を監視することと、
前記レガシー通信デバイスからの第一の前記複数の送信が前記省電力モードの前記スリープサブ状態にある前記第二の通信デバイス向けのものであることを、前記第一の通信デバイスにおいて決定することと
を備える、請求項１４に記載の方法。
【請求項１７】
前記第一の通信デバイスから前記レガシー通信デバイスに前記ホールド制御メッセージを前記送信することは、
前記第二の通信デバイスが前記パケットを受信したことを示すために、前記第一の通信デバイスから前記レガシー通信デバイスに確認応答メッセージを送信すること
をさらに備える、請求項１４に記載の方法。
【請求項１８】
前記第一の通信デバイスから前記レガシー通信デバイスに前記ホールド制御メッセージを前記送信することは、
前記レガシー通信デバイスが前記第二の通信デバイスへのパケットの送信を停止すべきホールド時間間隔を、前記第一の通信デバイスにおいて、決定することと、
前記ホールド制御メッセージにおいて前記ホールド時間間隔の指標を提供することと
を備え、前記ホールド時間間隔は、
所定の時間間隔と、
時間周期に基づいて決定された第一の時間間隔と、ここにおいて、前記時間周期の後に、前記第二の通信デバイスは、前記省電力モードの前記スリープサブ状態を終了する、
時間周期に基づいて決定された第二の時間間隔と、ここにおいて、前記時間周期の後に、前記第二の通信デバイスは、前記省電力モードを終了する、
のうちの一つである、請求項１４に記載の方法。
【請求項１９】
前記第一の通信デバイスから前記レガシー通信デバイスに前記ホールド制御メッセージを前記送信することは、
前記第二の通信デバイスが前記省電力モードの前記スリープサブ状態にある間、前記第一の通信デバイスから前記レガシー通信デバイスに前記ホールド制御メッセージを連続的に送信することと、
前記第二の通信デバイスが前記省電力モードの前記スリープサブ状態を終了するときに、前記第一の通信デバイスから前記レガシー通信デバイスへの後続のホールド制御メッセージの送信を停止することと
を備える、請求項１４に記載の方法。
【請求項２０】
前記第一の通信デバイスにおいて前記レガシー通信デバイスから送信された前記パケットを記憶することと、
前記第二の通信デバイスが前記省電力モードの前記スリープサブ状態を終了し、前記省電力モードのアウェイクサブ状態に切り替えるとき、または、前記第二の通信デバイスが省電力モードを終了するとき、前記第一の通信デバイスから前記第二の通信デバイスに前記パケットを転送することと
をさらに備える、請求項１４に記載の方法。
【請求項２１】
前記通信ネットワークの前記第二の通信デバイスが前記省電力モードにあることを前記決定することに応じて、前記方法は、
前記第二の通信デバイスが前記省電力モードの前記スリープサブ状態にある間、前記第二の通信デバイスへの電力セーブプロキシブリッジとして前記第一の通信デバイスを指定することを決定することと、
前記レガシー通信デバイスに前記第二の通信デバイス向けの後続パケットを前記第一の通信デバイスへと送信させるために、前記第一の通信デバイスが前記第二の通信デバイスへの前記電力セーブプロキシブリッジであることを示すために、前記第一の通信デバイスから少なくとも前記レガシー通信デバイスに制御メッセージを送信することと
をさらに備える、請求項１４に記載の方法。
【請求項２２】
前記第一の通信デバイス、前記第二の通信デバイス、及び前記レガシー通信デバイスが電力線通信ネットワーク、イーサネット、および無線ローカルエリアネットワークの少なくとも１つを介して通信するように構成される請求項１４に記載の方法。
【請求項２３】
ネットワークインターフェースと、
前記ネットワークインターフェースに結合された電力セーブユニットと
を備える通信デバイスであって、前記電力セーブユニットは、
通信ネットワークの第二の通信デバイスが省電力モードにあることを決定し、
前記第二の通信デバイスが前記省電力モードにある間、前記第二の通信デバイスのための電力セーブプロキシとして前記通信デバイスを指定することを決定し、
前記第二の通信デバイスが前記省電力モードにある間、前記通信ネットワークのレガシー通信デバイスから前記第二の通信デバイスに送信されるパケットを検出し、
前記レガシー通信デバイスから受信され、前記第二の通信デバイスに宛てられた、前記パケットに少なくとも部分的に基づいて、パケット統計値を決定し、
前記第二の通信デバイスに、前記省電力モードを終了して前記パケットを受信するかどうかを決定することを可能にさせるために、前記第二の通信デバイスに、前記パケット統計値を含む制御メッセージを送信する
ように動作可能である、通信デバイス。
【請求項２４】
前記通信ネットワークの前記第二の通信デバイスが前記省電力モードにあることを決定するように動作可能な前記電力セーブユニットは、前記第二の通信デバイスが前記省電力モードに関連するスリープサブ状態に入るときを決定するように動作可能な前記電力セーブユニットを備え、
前記第二の通信デバイスが前記省電力モードにある間、前記通信ネットワークの前記レガシー通信デバイスから前記第二の通信デバイスに送信される前記パケットを検出するように動作可能な前記電力セーブユニットは、前記第二の通信デバイスが前記省電力モードの前記スリープサブ状態にある間、前記レガシー通信デバイスから前記第二の通信デバイスに送信される前記パケットを検出するように動作可能な前記電力セーブユニットを備える、請求項２３に記載の通信デバイス。
【請求項２５】
前記電力セーブユニットは、
前記レガシー通信デバイスから送信される前記パケットを記憶し、
前記第二の通信デバイスが前記省電力モードを終了するとき、または、前記第二の通信デバイスが前記省電力モードのスリープサブ状態を終了するとき、前記第二の通信デバイスに前記パケットを転送する
ようにさらに動作可能である、請求項２３に記載の通信デバイス。
【請求項２６】
前記パケット統計値を決定するように動作可能な前記電力セーブユニットは、
前記省電力モードにある前記第二の通信デバイスのために前記レガシー通信デバイスから受信した前記パケットのタイプに少なくとも部分的に基づいて前記パケット統計値を決定する
ように動作可能な前記電力セーブユニットを備える、請求項２３に記載の通信デバイス。
【請求項２７】
前記電力セーブユニットが、前記第二の通信デバイスがスリープサブ状態にある間、前記通信ネットワークの前記レガシー通信デバイスから前記第二の通信デバイスに送信される前記パケットを検出することに応じて、前記電力セーブユニットは、
前記第二の通信デバイスが前記パケットを受信したことを示し、前記レガシー通信デバイスが前記第二の通信デバイスに前記パケットを再送することを停止させるために、前記レガシー通信デバイスに確認応答メッセージを送信する
ようにさらに動作可能である、請求項２３に記載の通信デバイス。
【請求項２８】
前記電力セーブユニットが、前記通信ネットワークの前記第二の通信デバイスが前記省電力モードにあることを決定することに応じて、前記電力セーブユニットは、
前記第二の通信デバイスが前記省電力モードにある間、前記第二の通信デバイスへの電力セーブプロキシブリッジとして前記通信デバイスを指定することを決定し、
前記レガシー通信デバイスに前記第二の通信デバイス向けの後続パケットを前記通信デバイスへと送信させるために、前記通信デバイスが前記第二の通信デバイスへの前記電力セーブプロキシブリッジであることを示すために、少なくとも前記レガシー通信デバイスに第二の制御メッセージを送信する
ように動作可能である、請求項２３に記載の通信デバイス。
【請求項２９】
ネットワークインターフェースと、
前記ネットワークインターフェースと接続された電力セーブユニットと
を備える通信デバイスであって、前記電力セーブユニットは、
通信ネットワークの第二の通信デバイスが省電力モードにあることを決定し、
前記第二の通信デバイスが前記省電力モードに関連するスリープサブ状態に入るときを決定し、
前記第二の通信デバイスが前記省電力モードの前記スリープサブ状態にある間、前記第二の通信デバイスのための電力セーブプロキシとして前記通信デバイスを指定することを決定し、
前記第二の通信デバイスが前記省電力モードの前記スリープサブ状態にある間、前記通信ネットワークのレガシー通信デバイスから前記第二の通信デバイスに送信されるパケットを検出し、
前記電力セーブユニットが、前記第二の通信デバイスが前記省電力モードの前記スリープサブ状態にある間、前記レガシー通信デバイスから前記第二の通信デバイスに送信される前記パケットを検出することに応じて、前記第二の通信デバイスが前記省電力モードの前記スリープサブ状態にある間、前記第二の通信デバイスへのパケットの送信を停止することを前記レガシー通信デバイスに要求するために、前記レガシー通信デバイスにホールド制御メッセージを送信する
ように動作可能である、通信デバイス。
【請求項３０】
前記レガシー通信デバイスに前記ホールド制御メッセージを送信するように動作可能な前記電力セーブユニットは、
第二の通信デバイスが前記パケットを受信したことを示す確認応答メッセージを前記レガシー通信デバイスに送信する
ように動作可能な前記電力セーブユニットをさらに備える、請求項２９に記載の通信デバイス。
【請求項３１】
前記レガシー通信デバイスに前記ホールド制御メッセージを送信するように動作可能な前記電力セーブユニットは、
前記ホールド制御メッセージにおいてホールド時間間隔の指標を提供し、ここにおいて、前記ホールド時間間隔は、前記レガシー通信デバイスが前記第二の通信デバイスへのパケットの送信を停止すべき時間周期を示す、または、
第二の通信デバイスが前記省電力モードの前記スリープサブ状態にある間、前記レガシー通信デバイスに前記ホールド制御メッセージを連続的に送信する
ように動作可能な前記電力セーブユニットをさらに備える、請求項２９に記載の通信デバイス。
【請求項３２】
前記電力セーブユニットは、
前記レガシー通信デバイスから送信される前記パケットを記憶し、
前記第二の通信デバイスが前記省電力モードの前記スリープサブ状態を終了し、前記省電力モードのアウェイクサブ状態に切り替わるとき、または、前記第二の通信デバイスが省電力モードを終了するとき、前記第二の通信デバイスに前記パケットを転送する
ようにさらに動作可能である、請求項２９に記載の通信デバイス。
【請求項３３】
前記電力セーブユニットが、前記通信ネットワークの前記第二の通信デバイスが前記省電力モードにあることを決定することに応じて、前記電力セーブユニットは、
前記第二の通信デバイスが前記電力セーブモードの前記スリープサブ状態にある間、前記第二の通信デバイスへの電力セーブプロキシブリッジとして前記通信デバイスを指定することを決定し、
前記レガシー通信デバイスに前記第二の通信デバイス向けの後続パケットを前記通信デバイスへと送信させるために、前記通信デバイスが第二の通信デバイスへの前記電力セーブプロキシブリッジであることを示すために、少なくとも前記レガシー通信デバイスに制御メッセージを送信する
ように動作可能である、請求項２９に記載の通信デバイス。
【手続補正２】
【補正対象書類名】明細書
【補正対象項目名】００２０
【補正方法】変更
【補正の内容】
【００２０】
[0021]いくつかの実施形態では、第一の通信デバイスからレガシー通信デバイスに一つまたは複数のホールド制御メッセージを前記送信することは、第二の通信デバイスが一つまたは複数のパケットを受信したことを示すために第一の通信デバイスからレガシー通信デバイスに、少なくとも一つの確認応答メッセージを送信することさらに構成する。 
[0022]いくつかの実施形態では、第一の通信デバイスからレガシー通信デバイスに一つまたは複数のホールド制御メッセージを前記送信することは、レガシー通信デバイスが前記第二の通信デバイスへのパケットの送信を停止すべきホールド時間間隔を、第一の通信デバイスにおいて、決定すること、および一つまたは複数のホールド制御メッセージにおいてホールド時間間隔の表示(indication)を提供することを備え、ここにおいてホールド時間間隔は、所定の時間間隔と、時間周期に基づいて決定された第一の時間間隔と、ここにおいて、該時間周期の後に、第二の通信デバイスは、省電力モードのスリープサブ状態を終了し、時間周期に基づいて決定された第二の時間間隔と、ここにおいて、該時間周期の後に、第二の通信デバイスは、省電力モードを終了する、のうちの一つである。